(57)【要約】【課題】  連結、連結解除を容易にするとともに、構造を簡単にして製作費、メンテナンス費を低減させる。【解決手段】  一方の金具２と、他方の金具１０と、一方の金具２又は他方の金具１０の何れか一方に設けられる剛体からなる嵌合部４と、一方の金具２又は他方の金具１０の何れか他方に設けられるとともに、嵌合部４を着脱自在に嵌合させる弾性体からなる被嵌合部１８とを備える。一方の金具２又は他方の金具１０の何れか他方には、両端が開口する貫通孔１２が設けられ、この貫通孔１２内に被嵌合部１８が嵌合されるとともに、この貫通孔１２の一端開口部側から嵌合部４が被嵌合部１８に着脱自在に嵌合される。【選択図】        図１
2007295947.tif 000002
【特許請求の範囲】
【請求項１】
一方の金具と、他方の金具と、前記一方の金具又は前記他方の金具の何れか一方に設けられる剛体からなる嵌合部と、前記一方の金具又は前記他方の金具の何れか他方に設けられるとともに、前記嵌合部を着脱自在に嵌合させる弾性体からなる被嵌合部とを備えていることを特徴とする連結金具。
【請求項２】
前記一方の金具又は前記他方の金具の何れか他方には、両端が開口する貫通孔が設けられ、該貫通孔内に前記被嵌合部が嵌合されるとともに、該貫通孔の一端開口部側から前記嵌合部が前記被嵌合部に着脱自在に嵌合されるように構成されていることを特徴とする請求項１に記載の連結金具。
【請求項３】
前記貫通孔と前記被嵌合部との間には、前記嵌合部を前記被嵌合部に嵌合させたときに、前記被嵌合部が弾性変形して拡径するのを許容する隙間が設けられていることを特徴とする請求項２に記載の連結金具。
【請求項４】
前記嵌合部は球形状の嵌合突起を有し、前記被嵌合部は前記嵌合突起を着脱自在に嵌合させる嵌合穴を有していることを特徴とする請求項１から３の何れかに記載の連結金具。
【発明の詳細な説明】
【技術分野】
【０００１】
本発明は、連結金具に関し、特に、一方の部材（一方の部分）と他方の部材（他方の部分）との連結部等に適用されて、両部材（両部分）を着脱自在に連結するのに好適な連結金具に関する。
【背景技術】
【０００２】
一方の部材（一方の部分）と他方の部材（他方の部分）との連結部に用いられる連結金具には種々のタイプのものがあり、例えば、ネックレスの両端部の連結に適用した連結金具が知られている（例えば、特許文献１参照。）。
【０００３】
すなわち、この連結金具は、ネックレスの一端部にリング状の一方の金具を取り付け、他端部に一部が開閉可能なリング状の他方の金具を取り付け、他方の金具の一部を開放させて、その開放させた部分を利用して他方の金具を一方の金具の内側に挿通させることにより一方の金具と他方の金具とを連結し、その逆の過程を辿ることにより一方の金具と他方の金具との連結状態を解除するように構成したものである。
【０００４】
また、他の連結金具の例として、ネックレスの一端部に雄金具を取り付け、他端部に雌金具を取り付け、雄金具と雌金具とを相互に嵌合させることにより、雄金具と雌金具とを相互に連結し、雄金具と雌金具との嵌合状態を解除することにより、両金具の連結状態を解除するように構成したものが提案されている（例えば、特許文献２参照。）。
【特許文献１】特開平９−３０４７４３号公報
【特許文献２】特開２００３−２３０４１３号公報
【発明の開示】
【発明が解決しようとする課題】
【０００５】
ところで、上記のような構成の連結金具のうち、特許文献１に記載されている連結金具は、他方の金具の一部を開放させて、その開放させた部分から一方の金具を他方の金具の内側に挿入させたり、離脱させたりしなければならないため、他方の金具の開閉作業が必要になり、ネックレスの身体への着脱に非常に手間がかかってしまう。
【０００６】
一方、特許文献２に記載されている連結金具は、特許文献１に記載の連結金具のような問題は生じないが、雄金具及び雌金具の構造が複雑であるために、製作に手間がかかり、製作費が高く付くとともに、メンテナンス費も高く付いてしまう。
【０００７】
本発明は、上記のような従来の問題を解決したものであって、構造が簡単で製作に要する手間を削減できて、製作費及びメンテナンス費を大幅に低減させることができるとともに、ネックレス等の連結部に適用した場合には、身体への着脱を容易に行うことができる連結金具を提供することを目的とする。
【課題を解決するための手段】
【０００８】
上記のような課題を解決するために、本発明は、以下のような手段を採用している。
すなわち、請求項１に係る発明は、一方の金具と、他方の金具と、前記一方の金具又は前記他方の金具の何れか一方に設けられる剛体からなる嵌合部と、前記一方の金具又は前記他方の金具の何れか他方に設けられるとともに、前記嵌合部を着脱自在に嵌合させる弾性体からなる被嵌合部とを備えていることを特徴とする。
【０００９】
本発明による連結金具によれば、一方の金具の剛体からなる嵌合部と他方の金具の弾性体からなる被嵌合部とを相互に嵌合させることにより、一方の金具と他方の金具とが相互に連結され、嵌合部と被嵌合部との嵌合状態を解除することにより、一方の金具と他方の金具との連結状態が解除されることになる。
【００１０】
請求項２に係る発明は、請求項１に記載の連結金具であって、前記一方の金具又は前記他方の金具の何れか他方には、両端が開口する貫通孔が設けられ、該貫通孔内に前記被嵌合部が嵌合されるとともに、該貫通孔の一端開口部側から前記嵌合部が前記被嵌合部に着脱自在に嵌合されるように構成されていることを特徴とする。
【００１１】
本発明による連結金具によれば、他方の金具の貫通孔内に被嵌合部が嵌合され、この貫通孔の一端開口部から被嵌合部に嵌合部を嵌合させることにより、一方の金具と他方の金具とが相互に連結され、嵌合部と被嵌合部との嵌合状態を解除することにより、一方の金具と他方の金具の連結状態が解除されることになる。
【００１２】
請求項３に係る発明は、請求項２に記載の連結金具であって、前記貫通孔と前記被嵌合部との間には、前記嵌合部を前記被嵌合部に嵌合させたときに、前記被嵌合部が弾性変形して拡径するのを許容する隙間が設けられていることを特徴とする。
【００１３】
本発明による連結金具によれば、他方の金具の貫通孔と被嵌合部との間の隙間により、被嵌合部が弾性変形して拡径するのが許容され、これにより被嵌合部への嵌合部の嵌合が許容されることになる。
【００１４】
請求項４に係る発明は、請求項１から３の何れかに記載の連結金具であって、前記嵌合部は球形状の嵌合突起を有し、前記被嵌合部は前記嵌合突起を着脱自在に嵌合させる嵌合穴を有していることを特徴とする。
【００１５】
本発明による連結金具によれば、嵌合部の嵌合突起を被嵌合部の嵌合穴内に嵌合させることにより、一方の金具と他方の金具とが相互に連結され、嵌合突起を嵌合穴から離脱させることにより、一方の金具と他方の金具との連結状態が解除されることになる。
【発明の効果】
【００１６】
以上、説明しように、本発明による連結金具によれば、一方の金具に設けた嵌合部と他方の金具に設けた被嵌合部とを相互に嵌合させることにより、一方の金具と他方の金具とを相互に連結することができ、嵌合部を被嵌合部から離脱させることにより、一方の金具と他方の金具との連結状態を解除することができる。従って、一方の部材（一方の部分）と他方の部材（他方の部分）との連結部等に適用した場合に、両部材（両部分）の連結、連結解除を容易に行うことができる。また、一方の金具に嵌合部を設け、他方の金具に被嵌合部を設けただけの簡単な構造のものであるので、製作に要する費用を削減することができ、製作費を低減させることができ、安価なものを提供することができる。さらに、構造が簡単であるので、メンテナンスが容易となり、メンテナンス費用も削減することができる。
【発明を実施するための最良の形態】
【００１７】
以下、図面を参照しながら、本発明の実施の形態について説明する。
図１〜図７には、本発明による連結金具の一実施の形態が示されていて、図１は連結金具の全体を示す平面図、図２は一方の金具の全体を示す平面図、図３は図２の左側面図、図４は他方の金具の全体を示す平面図、図５は図４の右側面図、図６は被嵌合部の全体を示す平面図、図７は図６の左側面図である。
【００１８】
すなわち、本実施の形態に示す連結金具１は、相対的に着脱自在に構成される２つの部材（２つの部分）の連結部（例えば、ネックレス、ブレスレット等の連結部）等に適用可能なものであって、図１に示すように、一方の部材（一方の部分）２５に取り付けられる一方の金具２と、他方の部材（他方の部分）２６に取り付けられる他方の金具１０と、一方の金具２に設けられる嵌合部４と、他方の金具１０に設けられる被嵌合部１８とを備えている。
【００１９】
一方の金具２は、チタン、金、銀、ステンレス等の金属から形成されるものであって、図２及び図３に示すように、円柱状の金具本体３と、金具本体３の軸方向の一端面に軸線を一致させた状態で一体に設けられる嵌合部４と、金具本体３の軸方向の他端面に所定の深さで穿設される取付け穴９とから構成されている。
【００２０】
嵌合部４は、金具本体３の軸方向の一端面に設けられる円錐台形状の台座５と、台座５の上部に一体に設けられる球形状の嵌合突起７とからなり、この嵌合突起７を後述する被嵌合部１８の嵌合穴１９内に嵌合させることにより、一方の金具２と後述する他方の金具１０とが相互に連結される。
【００２１】
嵌合部４の台座５の根元部６は、全周に亘って面取りされて円柱状に形成され、嵌合部４の嵌合突起７を後述する被嵌合部１８の嵌合穴１９内に嵌合させたときに、この円柱状の根元部６が後述する他方の金具１０の貫通孔１２の小径部１３内に僅かの隙間をもって嵌合される。これにより、一方の金具２と他方の金具１０とを相互に連結したときに、両金具２、１０間にガタが生じるのが防止される。なお、嵌合部４の台座５の根元部６と前述した係合突起７とは、同一大きさに形成されている。
【００２２】
嵌合部４の嵌合突起７の台座５に連続する部分は、全周に亘って面取りされて円柱状に形成され、この円柱状の面取り部８によって嵌合突起７と台座５との連結部（境界部）の強度が高められ、嵌合突起７と台座５との連結部（境界部）に亀裂等が生じるのが防止される。
【００２３】
他方の金具１０は、一方の金具２と同様にチタン、金、銀、ステンレス等の金属から形成される円柱状をなすものであって、図４及び図５に示すように、円柱状の金具本体１１と、金具本体１１の中心部に設けられる金具本体１１を軸線方向に貫通する貫通孔１２とから構成されている。
【００２４】
貫通孔１２は、図４に示すように、金具本体１１の左端から右端にかけて、小径部１３、小径部１３よりも大径の第１中径部１４、第１中径部１４よりも大径の大径部１５、大径部１５よりも小径かつ第１中径部１４と略同一内径の第２中径部１６の４段に形成されている。なお、大径部１５及び第２中径部１６は他方の部材（他方の部分）２６を取り付けるための取付け穴１７と兼用されている。
【００２５】
小径部１３は、一方の金具２の嵌合部４（嵌合突起７及び台座５）を挿通可能な内径に形成され、一方の金具２の嵌合部４を後述する被嵌合部１８内に嵌合させたときに、台座５の根元部６が僅かな隙間をもって小径部１３の内面側に嵌合される。第１中径部１４は、後述する被嵌合部１８を圧入可能な内径に形成されている。
【００２６】
被嵌合部１８は、図６及び図７に示すように、合成樹脂等の弾性を有する素材から形成される円柱状をなすものであって、中心部に所定の深さの嵌合穴１９が設けられている。図６に示すように、被嵌合部１８の外周面は、左端から右端にかけて、小径部２３、小径部２３よりも大径の大径部２４の２段に形成されている。大径部２４は他方の金具１０の貫通孔１２の第１中径部１４よりも僅かに大径に形成され、小径部２３は第１中径部１４の内面との間に所定の隙間が形成される大きさに形成されている。
【００２７】
被嵌合部１８は、図１に示すように、他方の金具１０の貫通孔１２内にその他端開口部側から挿入させ、軸方向の一端面が貫通孔１２の小径部１３と第１中径部１４との境界面に当接するまで挿入させ、大径部１５を貫通孔１２の第１中径部１４内に圧入させることにより、他方の金具１０の貫通孔１２内の所定の位置に一体に取り付けられる。
【００２８】
被嵌合部１８を他方の金具１０の貫通孔１２内に取り付けることにより、被嵌合部１８の小径部２３の外周面と貫通孔１２の第１中径部１４の内周面との間に所定の間隙が形成され、この間隙によって被嵌合部１８の小径部２３が径方向外方に弾性変形して拡径するのが許容され、被嵌合部１８の嵌合穴１９内への一方の金具２の嵌合部４の嵌合が許容される。
【００２９】
被嵌合部１８の嵌合穴１９は、図６及び図７に示すように、嵌合部４の球形状の嵌合突起７よりも小径の円柱状の空間である大径部２０と、大径部２０に連続して設けられる被嵌合部１８の一端面側に開口する大径部２０よりも小径の小径部２１とからなり、小径部２１の開口縁部内周面は面取りされて所定の角度のテーパ面２２に形成されている。
【００３０】
嵌合穴１９の大径部２０は、図１に示すように、一方の金具２の嵌合部４の球形状の嵌合突起７の台座５からの高さ（面取り部８は除く）とほぼ同一の長さに形成され、これにより、嵌合突起７を嵌合穴１９内に嵌合させたときに、嵌合突起７の面取り部８を除くほぼ全体が大径部２０の内面側に嵌合される。この場合、嵌合穴１９の小径部２１は、嵌合突起７の面取り部８に隣接する部分に強く圧接され、これにより嵌合突起７が嵌合穴１９から抜け出るのが防止される。なお、嵌合穴１９の大径部２０は、円柱状の空間に限らず、球面状の空間に形成してもよい。
【００３１】
そして、上記のように構成した本実施の形態による連結金具１を相対的に着脱自在に構成される２つの部材（２つの部分）の連結部（例えば、ネックレス、ブレスレット等の連結部）等に適用するには、図１に示すように、一方の部材（一方の部分）２５の端部を一方の金具２の取付け穴９内に嵌合させることにより、一方の部材（一方の部分）２５の端部に一方の金具２を取り付け、他方の部材（他方の部分）２６の端部を他方の金具１０の取付け穴１７内に嵌合させることにより、他方の部材（他方の部分）２６の端部に他方の金具１０を取り付ける。
【００３２】
そして、一方の金具２の嵌合部４と他方の金具１０の被嵌合部１８とを対向させ、嵌合部４と被嵌合部１８とを相互に接近する方向に押し付け、嵌合部４を被嵌合部１８内に嵌合させることにより、一方の金具２と他方の金具１０が嵌合部４及び被嵌合部１８を介して相互に連結され、一方の部材（一方の部分）２５と他方の部材（他方の部分）２６が連結金具１を介して相互に連結される。
【００３３】
そして、一方の金具２と他方の金具１０とを互いに離間する方向に引っ張り、嵌合部４を被嵌合部１８から離脱させることにより、一方の金具２と他方の金具１０の嵌合部４及び被嵌合部１８を介しての連結状態が解除され、一方の部材（一方の部分）２５と他方の部材（他方の部分）２６との連結金具１を介しての連結状態が解除される。
【００３４】
この場合、被嵌合部１８の軸方向の端面が他方の金具１０の貫通孔１２の小径部１３と第１中径部１４との境界面に当接していることにより、一方の金具２と他方の金具１０との連結、連結解除を繰り返し行っても、被嵌合部１８が他方の金具１０から離脱するようなことはなく、一方の金具２と他方の金具１０の連結、連結解除を安定して行うことができる。
【００３５】
上記のように構成した本実施の形態による連結金具１にあっては、一方の金具２の嵌合部４と他方の金具１０の被嵌合部１８とを相互に嵌合させることにより、一方の金具２と他方の金具１０とを相互に連結させることができ、又は嵌合部４と被嵌合部１８との連結状態を解除することにより、一方の金具２と他方の金具１０との連結状態を解除することができるので、連結及び連結解除を非常に容易に行うことができる。
【００３６】
従って、ネックレス、ブレスレット等のアクセサリの連結部に適用した場合には、アクセサリの身体への着脱を容易に行うことができることになる。また、一方の金具２に嵌合部４を設け、他方の金具１０に被嵌合部１８を設けただけの簡単な構造のものであるので、製作を容易にすることができて製作に要するコストを低減させることができ、安価なものを提供することができる。さらに、弾性体からなる被嵌合部１８は、他方の金具１０の貫通孔１２内に圧入されているだけなので、被嵌合部１８が摩耗した場合等に被嵌合部１８の交換作業を容易に行うことができ、メンテナンスを容易にすることができる。
【００３７】
なお、前記の説明においては、一方の金具２に嵌合部４を設け、他方の金具１０に被嵌合部１８を設けたが、図示はしないが、一方の金具２に被嵌合部１８を設け、他方の金具１０に嵌合部４を設けてもよい。また、一方の金具２及び他方の金具１０は、円柱状に限らず、角柱状等としてもよい。さらに、前記の説明においては、嵌合部４の嵌合突起７を球形状に形成し、被嵌合部１８の嵌合穴１９を円柱状の空間に形成したが、嵌合突起７を角柱状に形成し、被嵌合部１８の嵌合穴１９を角柱状の空間に形成してもよい。さらに、前記の説明においては、一方の部材（一方の部分）２５及び他方の部材（他方の部分）２６の連結部として、ネックレス、ブレスレット等のアクセサリを挙げたが、これらに限らず、各種の周知の部材（部分）の連結部に適用することができ、その場合にも同様の作用効果を奏する。
【図面の簡単な説明】
【００３８】
【図１】本発明による連結金具の一実施の形態の全体を示す平面図である。
【図２】一方の金具の全体を示す平面図である。
【図３】図２の左側面図である。
【図４】他方の金具の全体を示す平面図である。
【図５】図４の右側面図である。
【図６】被嵌合部の全体を示す平面図である。
【図７】図６の左側面図である。
【符号の説明】
【００３９】
１  連結金具
２  一方の金具
３  金具本体
４  嵌合部
５  台座
６  根元部
７  嵌合突起
８  面取り部
９  取付け穴
１０  他方の金具
１１  金具本体
１２  貫通孔
１３  小径部
１４  第１中径部
１５  大径部
１６  第２中径部
１７  取付け穴
１８  被嵌合部
１９  嵌合穴
２０  大径部
２１  小径部
２２  テーパ面
２３  小径部（外周面）
２４  大径部（外周面）
２５  一方の部材（一方の部分）
２６  他方の部材（他方の部分）
【図１】
2007295947.tif 000003
【図２】
2007295947.tif 000004
【図３】
2007295947.tif 000005
【図４】
2007295947.tif 000006
【図５】
2007295947.tif 000007
【図６】
2007295947.tif 000008
【図７】
2007295947.tif 000009